(57)【特許請求の範囲】
【請求項１】
光学部品と、
前記光学部品を保持する支持ホルダと、
前記支持ホルダを固定する光学基台とを備えた光ピックアップであって、
前記光学基台は凸部を有し、
前記支持ホルダは両方の端部にそれぞれ少なくとも１つの凹部を有し、
前記光学基台の凸部は、前記支持ホルダの凹部内に配置されており、
前記光学基台と前記支持ホルダとは、前記凸部及び前記支持ホルダとを接着する光硬化性の接着剤によって固定されており、
前記支持ホルダと光学基台の隙間間隔をｄｚ、前記支持ホルダの厚みをＴ、前記光学基台の凸部の高さをＨとすると、
Ｈ≦ｄｚ＋Ｔ
の関係を有する、光ピックアップ。
【請求項２】
一対の前記凸部の互いに対向しないそれぞれの側面は、前記支持ホルダの前記両方の端部のそれぞれと同一面上に配置されており、
一対の前記凸部の互いに対向しない側面間の最短距離をＷ、前記支持ホルダの前記両方の端部の左右端方向の幅をＸとすると、
Ｘ＝Ｗ
の関係を有する、請求項１記載の光ピックアップ。
【請求項３】
前記一対の前記凸部は、前記光学基台から垂直に突き出した一対の角柱状部材であり、
前記一対の互いに対向しない側面は、前記角柱状部材の前記光学基台に垂直な面のうち、外側に位置した一対の平行面であり、
前記最短距離は前記一対の平行面間の距離である、請求項２記載の光ピックアップ。
【請求項４】
前記光硬化性の接着剤の塗布位置は、前記光学部品の受光領域の中心に対し、上下方向及び左右方向のそれぞれにおいて対称である、請求項１記載の光ピックアップ。
【請求項５】
前記支持ホルダの前記凹部は、前記支持ホルダの両面を貫通して切り欠きを形成している、請求項１又は２記載の光ピックアップ。
【請求項６】
前記支持ホルダの前記凹部は、前記支持ホルダの前記凸部に対向する面側にのみ形成されている、請求項１又は２記載の光ピックアップ。
【請求項７】
前記凸部は、その延伸方向からみた投影図において前記支持ホルダの外形の内側に隠れている、請求項１記載の光ピックアップ。
【請求項８】
前記一対の前記凸部は、前記光学基台から垂直に突き出した一対の柱状部材であり、
前記一対の互いに対向しない側面は、前記柱状部材の前記光学基台に垂直な面のうち、外側に位置した、一対の対向する斜面又は正に湾曲した曲面であり、
前記最短距離は前記曲面又は斜面の根元間の距離である、請求項２記載の光ピックアップ。
【請求項９】
前記凸部は、前記光学基台の表面からの延伸方向に沿って設けられた溝又は土手を有する、請求項１記載の光ピックアップ。
【請求項１０】
前記凸部は、透明な材料で形成されている、請求項１記載の光ピックアップ。
【請求項１１】
前記凹部の前記凸部と対向する面は、反射加工が施されている、請求項１又は２記載の光ピックアップ。
【請求項１２】
前記接着剤は未硬化時のゲル状態において、その粘度が２００００ｍＰａ・ｓ以上である、請求項１記載の光ピックアップ。
【請求項１３】
前記接着剤は硬化後の硬度がショアＤスケールにおいて６０以上９０以下である、請求項１記載の光ピックアップ。
【請求項１４】
前記光学部品は、光源から放射され、光ディスクにて反射した光ビームを受光する光検出器である、請求項１記載の光ピックアップ。
【請求項１５】
請求項１記載の光ピックアップと、
光ディスクを回転するモータと、
前記光ピックアップから得られる信号を受け、前記信号に基づいて前記モータ及び前記光ピックアップを制御又は駆動する電気回路を備えた光情報装置。
【請求項１６】
請求項１５記載の光情報装置と、
情報を入力するための入力装置又は入力端子と、
前記入力装置又は前記入力端子から入力された情報若しくは前記光情報装置から再生された情報に基づいて演算を行う演算装置と、
前記入力装置又は前記入力端子から入力された情報、前記光情報装置から再生された情報、若しくは前記演算装置によって演算された結果を表示又は出力するための出力装置又は出力端子を備えたコンピュータ。
【請求項１７】
請求項１５記載の光情報装置と、
前記光情報装置から得られる情報信号を画像に変換する情報から画像へのデコーダとを備えた光ディスクプレーヤ。
【請求項１８】
請求項１５記載の光情報装置と、
前記光情報装置から得られる情報信号を画像に変換する情報から画像へのデコーダを有するカーナビゲーションシステム。
【請求項１９】
請求項１５記載の光情報装置と、
画像情報を前記光情報装置によって記録する情報に変換する画像から情報へのエンコーダを有する光ディスクレコーダ。
【請求項２０】
請求項１５記載の光情報装置と、
外部との情報のやりとりを行う入出力端子とを備えた光ディスクサーバ。
【請求項２１】
光学部品と、
前記光学部品を保持する支持ホルダと、
前記支持ホルダを固定する光学基台とを備えた光ピックアップであって、
前記光学基台は凸部を有し、
前記支持ホルダは両方の端部にそれぞれ少なくとも１つの凹部を有し、
前記光学基台の凸部は、前記支持ホルダの凹部内に配置されており、
前記光学基台と前記支持ホルダとは、前記凸部及び前記支持ホルダとを接着する光硬化性の接着剤によって固定されており、
一対の前記凸部の互いに対向しないそれぞれの側面の少なくとも一方は、前記支持ホルダの前記端部より内側に入り込んだ位置に配置されており、
一対の前記凸部の互いに対向しない側面間の最短距離をＷ、前記支持ホルダの前記両方の端部の左右端方向の幅をＸ、前記幅の方向に沿った位置決めの調整可能な距離をｄｘとすると、
（数１）
Ｘ−Ｗ≧２ｄｘ
の関係を有し、
前記ｄｘは３００μｍ以下である、光ピックアップ。
【発明の詳細な説明】
【技術分野】
【０００１】
本発明は、光ピックアップ、及び光ピックアップを内蔵し、光ディスクに光を照射して情報の記録及び／または再生を行う光情報装置等に関するものである。
【背景技術】
【０００２】
ディジタルオーディオや画像、動画、コンピュータ等で作成された文書ファイルやデータファイルを記録、保存するための記録媒体は多種多様だが、その一つに光ディスクがある。中でもＤＶＤ（Ｄｉｇｉｔａｌ  Ｖｅｒｓａｔｉｌｅ  Ｄｉｓｋ）は従来のＣＤ（Ｃｏｍｐａｃｔ  Ｄｉｓｃ）と比較して高密度かつ大容量であり、録画機の分野においても、現在主流であるＶＴＲ（Ｖｉｄｅｏ  Ｔａｐｅ  Ｒｅｃｏｒｄｅｒ）に替わる媒体として普及してきている。さらに近年、青色半導体レーザを用い、記録密度をより一層高めた次世代の光ディスクであるＢＤ（Ｂｌｕ−ｒａｙ  Ｄｉｓｋ）が普及し始めている。
【０００３】
光ディスクを大容量にするためには、光ディスクに情報を記録する際および光ディスクに記録された情報を再生する際に光ディスクに照射される光が形成する光スポットを小さくすることにより、情報の記録密度を高くする必要がある。光源のレーザ光を短波長にし、かつ、対物レンズの開口数（ＮＡ）を大きくすることによって、光スポットを小さくすることができる。ＤＶＤでは、波長６６０ｎｍの光源と、開口数（ＮＡ）０．６の対物レンズとが使用されている。一方、ＢＤにおいては、波長４０５ｎｍの青色レーザと、ＮＡ０．８５の対物レンズとを使用することによって、ＤＶＤの記録密度の５倍の記録密度が達成される。また、これらの光ディスクにおいて、データの記録・再生を行うためには光情報装置が必要である。
【０００４】
ところで、光ピックアップを構成する部品の一つに、光ディスクからの反射光を受光して、光ピックアップの制御信号や再生信号などを生成するための、光検出器がある。この光検出器は高精度で光軸上の規定の位置に調整、固定する必要があり、より高密度なディスクに記録・再生を行う光ピックアップでは、従来よりも高精度な調整・固定が必要とされる。従来のＤＶＤやＣＤ用の光ピックアップでは、光検出器の固定、調整方法には次に述べるような方法が用いられていた。
【０００５】
たとえば、従来技術として特許文献１に示される方法では、図２１に示すように光検出器２１０を支持する装着板２２０の両端に切り込み部２２１ａ及び２２１ｂを形成し、光学基台２３０上に形成された凸部２３１ａ及び２３１ｂを、装着板２２０の切り込み部２２１ａ及び２２１ｂにそれぞれ挿入して、装着板２２０を空中に浮遊させた状態で調整を行う。精度よく調整を行い位置を仮決めした後、装着板２２０をＵＶ硬化樹脂等の光硬化性の接着剤を用いて光学基台２３０に固定する。
【０００６】
ここで、光学基台２３０の凸部２３１ａ及び２３１ｂは装着版２２０の両端より飛び出した形状となっており、この光学基台２３０の凸部２３１ａ及び２３１ｂの露出面と装着板２２０の切り込み部２２１ａ及び２２１ｂとが接着されるようにしている。
【先行技術文献】
【特許文献】
【０００７】
【特許文献１】特許第３６６３１４１号公報
【発明の概要】
【発明が解決しようとする課題】
【０００８】
しかしながら、本発明者は、上述の方法により作成した光ピックアップをＢＤに用いた場合、以下のような不具合があることを見いだした。
【０００９】
図２２は、上記従来技術の方法により作成した光ピックアップの特性を、経時変化に伴うフォーカスオフセットの値の変化により評価したグラフを示す図である。
【００１０】
図２２に示すように、作成直後、すなわち装着板２２０と光学基台２３０との接着剤が硬化した直後の状態の光ピックアップは、理想的なオフセット状態から、フォーカスオフセットが約０．１２μｍ発生していた。さらに、この光ピックアップの保存耐久性を調べるために、高温（約７０〜８０℃）、低温（−４０〜−３０℃）、また高湿度（湿度約９０％）下で保存して経過実験を行ったところ、フォーカスオフセットは更に増加し、約０．２４μｍ発生した。
【００１１】
このフォーカスオフセットの原因は、理想的な光検出器２１０の位置と実際の光検出器２１０の配置位置にズレが生じているためと考えられ、実際に光検出器２１０の位置を測定したところ、約２０μｍの位置ずれが発生していた。
【００１２】
一般的に、フォーカスオフセット量は線形範囲の１０％を越えると、サーボが不安定になって再生信号が劣化するため、光ピックアップにおいては、フォーカスオフセット量は１０％という数値に抑える必要がある。ＤＶＤの場合は、デフォーカス検出範囲、すなわちフォーカスエラー（ＦＥ）信号におけるダイナミックレンジ（ＦＥ信号強度の最小と最大との差分）が最大となるようなデフォーカス量の間隔は略４μｍであり、長期保存後のフォーカスオフセット変化が、図２２に示すような値０．２４μｍ程であっても、これはＤＶＤの直線範囲の６％に相当する量に過ぎない。
【００１３】
すなわち、従来の方法により作成した光ピックアップによっても、ＤＶＤにおける使用においては、フォーカスオフセットは許容値を超えない範囲に保たれる。そのため、ＤＶＤを再生および／又は記録する場合には、たとえ上記のようなオフセット量が発生したとしても、再生信号特性には大きな影響がなかった。
【００１４】
しかしながら、ＤＶＤに用いる赤色レーザより短波長の青色レーザを用いて再生および／または記録を行うＢＤのような高密度光ディスクの場合は、デフォーカス検出範囲は略２μｍと、ＤＶＤの場合よりも狭くなっている。
【００１５】
したがって、従来方法により作成した光ピックアップでは、長期保存後に約２０μｍの光検出器２１０の位置ずれが発生した場合、これはＢＤのデフォーカス検出範囲の約１２％に相当する量となり、ＢＤでは最終的にフォーカスオフセット許容値（デフォーカス検出範囲に対して１０％以下）を越えてしまうことになる。
【００１６】
以上のように、従来の光ピックアップによれば、ＤＶＤの場合には考慮す  る必要がなかった光検出器２１０の位置ずれを、ＢＤの場合には考慮する必  要があることに本発明者は思い至った。さらに、本発明者は、後述するように、位置ずれの発生要因の特定並びに解消策を検討した。
【００１７】
本願発明は、このような課題に鑑みてなされたものであり、レーザを用いて記録および／または再生が行われる光ディスクに対して、良好な信号特性を得ることが出来る光ピックアップ及びそれを用いた光情報装置等を提供することを目的とする。
【課題を解決するための手段】
【００１８】
上記の目的を達成するために、請求項１に記載の本願発明は、
光学部品と、
前記光学部品を保持する支持ホルダと、
前記支持ホルダを固定する光学基台とを備えた光ピックアップであって、
前記光学基台は凸部を有し、
前記支持ホルダは両方の端部にそれぞれ少なくとも１つの凹部を有し、
前記光学基台の凸部は、前記支持ホルダの凹部内に配置されており、
前記光学基台と前記支持ホルダとは、前記凸部及び前記支持ホルダとを接着する光硬化性の接着剤によって固定されており、
前記支持ホルダと光学基台の隙間間隔をｄｚ、前記支持ホルダの厚みをＴ、前記光学基台の凸部の高さをＨとすると、
Ｈ≦ｄｚ＋Ｔ
の関係を有する、光ピックアップである。
また、請求項２に記載の本願発明は、
一対の前記凸部の互いに対向しないそれぞれの側面は、前記支持ホルダの前記両方の端部のそれぞれと同一面上に配置されており、
一対の前記凸部の互いに対向しない側面間の最短距離をＷ、前記支持ホルダの前記両方の端部の左右端方向の幅をＸとすると、
Ｘ＝Ｗ
の関係を有する、請求項１記載の光ピックアップである。
また、請求項３に記載の本願発明は、
前記一対の前記凸部は、前記光学基台から垂直に突き出した一対の角柱状部材であり、
前記一対の互いに対向しない側面は、前記角柱状部材の前記光学基台に垂直な面のうち、外側に位置した一対の平行面であり、
前記最短距離は前記一対の平行面間の距離である、請求項２記載の光ピックアップである。
また、請求項４に記載の本願発明は、
前記光硬化性の接着剤の塗布位置は、前記光学部品の受光領域の中心に対し、上下方向及び左右方向のそれぞれにおいて対称である、請求項１記載の光ピックアップである。
また、請求項５に記載の本願発明は、
前記支持ホルダの前記凹部は、前記支持ホルダの両面を貫通して切り欠きを形成している、請求項１又は２記載の光ピックアップである。
また、請求項６に記載の本願発明は、
前記支持ホルダの前記凹部は、前記支持ホルダの前記凸部に対向する面側にのみ形成されている、請求項１又は２記載の光ピックアップである。
また、請求項７に記載の本願発明は、
前記凸部は、その延伸方向からみた投影図において前記支持ホルダの外形の内側に隠れている、請求項１記載の光ピックアップである。
また、請求項８に記載の本願発明は、
前記一対の前記凸部は、前記光学基台から垂直に突き出した一対の柱状部材であり、
前記一対の互いに対向しない側面は、前記柱状部材の前記光学基台に垂直な面のうち、外側に位置した、一対の対向する斜面又は正に湾曲した曲面であり、
前記最短距離は前記曲面又は斜面の根元間の距離である、請求項２記載の光ピックアップである。
また、請求項９に記載の本願発明は、
前記凸部は、前記光学基台の表面からの延伸方向に沿って設けられた溝又は土手を有する、請求項１記載の光ピックアップである。
また、請求項１０に記載の本願発明は、
前記凸部は、透明な材料で形成されている、請求項１記載の光ピックアップである。
また、請求項１１に記載の本願発明は、
前記凹部の前記凸部と対向する面は、反射加工が施されている、請求項１又は２記載の光ピックアップである。
また、請求項１２に記載の本願発明は、
前記接着剤は未硬化時のゲル状態において、その粘度が２００００ｍＰａ・ｓ以上である、請求項１記載の光ピックアップである。
また、請求項１３に記載の本願発明は、
前記接着剤は硬化後の硬度がショアＤスケールにおいて６０以上９０以下である、請求項１記載の光ピックアップである。
また、請求項１４に記載の本願発明は、
前記光学部品は、光源から放射され、光ディスクにて反射した光ビームを受光する光検出器である、請求項１記載の光ピックアップである。
また、請求項１５に記載の本願発明は、
請求項１記載の光ピックアップと、
光ディスクを回転するモータと、
前記光ピックアップから得られる信号を受け、前記信号に基づいて前記モータ及び前記光ピックアップを制御又は駆動する電気回路を備えた光情報装置である。
また、請求項１６に記載の本願発明は、
請求項１５記載の光情報装置と、
情報を入力するための入力装置又は入力端子と、
前記入力装置又は前記入力端子から入力された情報若しくは前記光情報装置から再生された情報に基づいて演算を行う演算装置と、
前記入力装置又は前記入力端子から入力された情報、前記光情報装置から再生された情報、若しくは前記演算装置によって演算された結果を表示又は出力するための出力装置又は出力端子を備えたコンピュータである。
また、請求項１７に記載の本願発明は、
請求項１５記載の光情報装置と、
前記光情報装置から得られる情報信号を画像に変換する情報から画像へのデコーダとを備えた光ディスクプレーヤである。
また、請求項１８に記載の本願発明は、
請求項１５記載の光情報装置と、
前記光情報装置から得られる情報信号を画像に変換する情報から画像へのデコーダを有するカーナビゲーションシステムである。
また、請求項１９に記載の本願発明は、
請求項１５記載の光情報装置と、
画像情報を前記光情報装置によって記録する情報に変換する画像から情報へのエンコーダを有する光ディスクレコーダである。
また、請求項２０に記載の本願発明は、
請求項１５記載の光情報装置と、
外部との情報のやりとりを行う入出力端子とを備えた光ディスクサーバである。
また、請求項２１に記載の本願発明は、
光学部品と、
前記光学部品を保持する支持ホルダと、
前記支持ホルダを固定する光学基台とを備えた光ピックアップであって、
前記光学基台は凸部を有し、
前記支持ホルダは両方の端部にそれぞれ少なくとも１つの凹部を有し、
前記光学基台の凸部は、前記支持ホルダの凹部内に配置されており、
前記光学基台と前記支持ホルダとは、前記凸部及び前記支持ホルダとを接着する光硬化性の接着剤によって固定されており、
一対の前記凸部の互いに対向しないそれぞれの側面の少なくとも一方は、前記支持ホルダの前記端部より内側に入り込んだ位置に配置されており、
一対の前記凸部の互いに対向しない側面間の最短距離をＷ、前記支持ホルダの前記両方の端部の左右端方向の幅をＸ、前記幅の方向に沿った位置決めの調整可能な距離をｄｘとすると、
（数１）
Ｘ−Ｗ≧２ｄｘ
の関係を有し、
前記ｄｘは３００μｍ以下である、光ピックアップである。
なお、以下に、請求項に記載の本願発明に関連する発明を列挙（段落番号００１９乃至００３８参照）し、その後に、本願発明に関連する別の発明を列挙（段落００３９乃至００４３参照）する。
上記の目的を達成するために、第１の本発明は、光学部品と、
前記光学部品を保持する支持ホルダと、
前記支持ホルダを固定する光学基台とを備えた光ピックアップであって、
前記支持ホルダは両方の端部にそれぞれ少なくとも１つの凹部を有し、
前記光学基台は、前記支持ホルダの凹部に対応した凸部を有し、
前記光学基台と前記支持ホルダとは、前記凸部及び前記支持ホルダとを接着する光硬化性の接着剤によって固定されており、
一対の前記凸部の互いに対向しないそれぞれの側面は、前記支持ホルダの前記両方の端部のそれぞれと同一面上に配置されており、
一対の前記凸部の互いに対向しない側面間の最短距離をＷ、前記支持ホルダの前記両方の端部の左右端方向の幅をＸとすると、
Ｘ＝Ｗ
の関係を有する、光ピックアップである。
【００１９】
又、第２の本発明は、前記一対の前記凸部は、前記光学基台から垂直に突き出した一対の角柱状部材であり、
前記一対の互いに対向しない側面は、前記柱状部材の前記光学基台に垂な面のうち、外側に位置した一対の平行面であり、
前記最短距離は前記一対の平行面間の距離である、第１の本発明の光ピックアップである。
【００２０】
又、第３の本発明は、前記光硬化性の接着剤の塗布位置は、前記光学部品の受光領域の中心に対し、上下方向及び左右方向のそれぞれにおいて対称である、第１の本発明の光ピックアップである。
【００２１】
又、第４の本発明は、前記支持ホルダの前記凹部は、前記支持ホルダの両面を貫通して切り欠きを形成している、第１の本発明の光ピックアップである。
【００２２】
又、第５の本発明は、前記支持ホルダの前記凹部は、前記支持ホルダの前記凸部に対向する面側にのみ形成されている、第１の本発明の光ピックアップである。
【００２３】
又、第６の本発明は、前記凸部の高さは、前記光学部品に入射する光線の光軸方向において、前記支持ホルダより突出しない高さである、第４又は第５の本発明の光ピックアップである。
【００２４】
又、第７の本発明は、前記凸部は、その延伸方向からみた投影図において前記支持ホルダの外形の内側に隠れている、第６の本発明の光ピックアップである。
【００２５】
又、第８の本発明は、前記一対の前記凸部は、前記光学基台から垂直に突き出した一対の柱状部材であり、
前記一対の互いに対向しない側面は、前記柱状部材の前記光学基台に垂直な面のうち、外側に位置した、一対の対向する斜面又は正に湾曲した曲面であり、
前記最短距離は前記曲面又は斜面の根元間の距離である、第１の本発明の光ピックアップである。
【００２６】
又、第９の本発明は、前記凸部は、前記光学基台の表面からの延伸方向に沿って設けられた溝又は土手を有する、第１の本発明の光ピックアップである。
【００２７】
又、第１０の本発明は、前記凸部は、透明な材料で形成されている、第１の本発明の光ピックアップである。
【００２８】
又、第１１の本発明は、前記凹部の前記凸部と対向する面は、反射加工が施されている、第１０の本発明の光ピックアップである。
【００２９】
又、第１２の本発明は、前記接着剤は未硬化時のゲル状態において、その粘度が２００００ｍＰａ・ｓ以上である、第１の本発明の光ピックアップである。
【００３０】
又、第１３の本発明は、前記接着剤は硬化後の硬度がショアＤスケールにおいて６０以上９０以下である、第１の本発明の光ピックアップである。
【００３１】
又、第１４の本発明は、前記光学部品は、光源から放射され、光ディスクにて反射した光ビームを受光する光検出器である、第１の本発明の光ピックアップである。
【００３２】
又、第１５の本発明は、第１の本発明の光ピックアップと、
光ディスクを回転するモータと、
前記光ピックアップから得られる信号を受け、前記信号に基づいて前記モータ及び前記光ピックアップを制御又は駆動する電気回路を備えた光情報装置である。
【００３３】
又、第１６の本発明は、第１５の本発明の光情報装置と、
情報を入力するための入力装置又は入力端子と、
前記入力装置又は前記入力端子から入力された情報若しくは前記光情報装置から再生された情報に基づいて演算を行う演算装置と、
前記入力装置又は前記入力端子から入力された情報、前記光情報装置から再生された情報、若しくは前記演算装置によって演算された結果を表示又は出力するための出力装置又は出力端子を備えたコンピュータである。
【００３４】
又、第１７の本発明は、第１５の本発明の光情報装置と、
前記光情報装置から得られる情報信号を画像に変換する情報から画像へのデコーダとを備えた光ディスクプレーヤである。
【００３５】
又、第１８の本発明は、第１５の本発明の光情報装置と、
前記光情報装置から得られる情報信号を画像に変換する情報から画像へのデコーダを有するカーナビゲーションシステムである。
【００３６】
又、第１９の本発明は、第１５の本発明の光情報装置と、
画像情報を前記光情報装置によって記録する情報に変換する画像から情報へのエンコーダを有する光ディスクレコーダである。
【００３７】
又、第２０の本発明は、第１５の本発明の光情報装置と、外部との情報のやりとりを行う入出力端子とを備えた光ディスクサーバである。
【００３８】
又、第２１の本発明は、光学部品と、
前記光学部品を保持する支持ホルダと、
前記支持ホルダを固定する光学基台とを備えた光ピックアップであって、
前記支持ホルダは両方の端部にそれぞれ少なくとも１つの凹部を有し、
前記光学基台は、前記支持ホルダの凹部に対応した凸部を有し、
前記光学基台と前記支持ホルダとは、前記凸部及び前記支持ホルダとを接着する光硬化性の接着剤によって固定されており、
一対の前記凸部の互いに対向しないそれぞれの側面の少なくとも一方は、  
前記支持ホルダの前記端部より内側に入り込んだ位置に配置されており、
一対の前記凸部の互いに対向しない側面間の最短距離をＷ、前記支持ホルダの前記両方の端部の左右端方向の幅をＸ、前記幅の方向に沿った位置決めの調整可能な距離をｄｘとすると、
（数１）
Ｘ−Ｗ≧２ｄｘ
の関係を有し、
前記ｄｘは３００μｍ以下である、光ピックアップである。
【００３９】
又、上記本発明に関連する別の第１の発明は、光学部品と、
前記光学部品を保持する支持ホルダと、
前記支持ホルダを固定する光学基台とを備えた光ピックアップであって、
前記支持ホルダは両方の端部にそれぞれ少なくとも１つの凹部を有し、
前記光学基台は、前記支持ホルダの凹部に対応した凸部を有し
前記光学基台と前記支持ホルダとは、前記凸部及び前記支持ホルダとを接着する光硬化性の接着剤によって固定されており、
一対の前記凸部の互いに対向しない側面間の最短距離は、前記支持ホルダの左右端方向の幅以下である、光ピックアップである。
【００４０】
又、別の第２の発明は、前記一対の前記凸部は、前記光学基台から垂直に突き出した一対の角柱状部材であり、
前記一対の互いに対向しない側面は、前記柱状部材の前記光学基台に垂直な面のうち、外側に位置した一対の平行面であり、
前記最短距離は前記一対の平行面間の距離である、上記別の第１の発明の光ピックアップである。
【００４１】
又、別の第３の発明は、（１）前記凸部の前記側面の一方は前記支持ホルダの前記端部と同一面上、又は前記端部より内側に入り込んだ位置に配置され、前記凸部の前記側面の他方は前記支持ホルダの前記端部と同一面上、又は前記端部より内側に入り込んだ位置に配置されている、
又は、
（２）前記凸部の前記側面の一方は前記支持ホルダの前記端部より内側に入り込んだ位置に配置され、前記凸部の前記側面の他方は前記支持ホルダの前記端部と同一面上、又は前記端部より外側に突き出した位置に配置されている、上記別の第２の発明の光ピックアップである。
【００４２】
又、別の第４の発明は、前記凸部の前記側面の一方は前記支持ホルダの前記端部と同一面上、又は前記端部より内側に入り込んだ位置に配置され、前記凸部の前記側面の他方は前記支持ホルダの前記端部と同一面上、又は前記端部より内側に入り込んだ位置に配置されており、
前記一対の平行面間の距離をＷ、前記支持ホルダの左右端方向の幅をＸ、前記支持ホルダの、前記幅の方向に沿った位置決めの調整可能な距離をｄｘとすると、
（数１）
Ｘ−Ｗ≧２ｄｘ
の関係を有する、上記別の第３の発明の光ピックアップである。
【００４３】
又、別の第５の発明は、前記一対の平行面間の距離をＷ、前記支持ホルダの左右端方向の幅をＸとし、
前記支持ホルダを空中に保持した状態で前記光学基台上との位置決めの調整を行う際に、前記凸部と前記支持ホルダの前記凹部とのそれぞれ隙間の、前記支持ホルダの一端側における前記調整前の間隔をｄｘａ、前記支持ホルダの他端側における前記調整前の間隔をｄｘｂ、としたとき、
（数２）
ｄｘａ≦ｄｘｂ
（数３）
Ｘ−Ｗ≧２ｄｘａ
の関係を満たす、上記別の第３の発明の光ピックアップである。
【発明の効果】
【００４４】
本発明によれば、レーザを用いて記録および／または再生が行われる光ディスクに対して、良好な信号特性を得ることが出来る。
【図面の簡単な説明】
【００４５】
【図１】本発明の実施の形態１における光ピックアップの光学構成を示す図である。
【図２】（ａ）本発明の実施の形態１における光ピックアップの光検出器１０の周辺構成を示す図である。（ｂ）本発明の実施の形態１における光ピックアップの光検出器１０の周辺構成を示す図である。
【図３】（ａ）本発明の実施の形態１における光ピックアップの光検出器１０の周辺構成の寸法の一例を示す図である。（ｂ）本発明の実施の形態１における光ピックアップの光検出器１０の周辺構成の寸法の一例を示す図である。
【図４】（ａ）本発明の実施の形態１における光ピックアップの光検出器１０の周辺構成における位置関係を示す図である。（ｂ）本発明の実施の形態１に  おける光ピックアップの光検出器１０の周辺構成における接着剤６０ａ及び  ６０ｂの塗布位置を示す図である。（ｃ）本発明の実施の形態１における光ピックアップの光検出器１０の周辺構成における接着剤６０ａ及び６０ｂの  塗布位置を示す図である。（ｄ）本発明の実施の形態１における光ピックア  ップの光検出器１０の周辺構成における接着剤６０ａ及び６０ｂの塗布位置  を示す図である。
【図５】（ａ）本発明の実施の形態１及び従来例の光ピックアップの特性を、経時変化に伴うフォーカスオフセットの値の変化により評価したグラフを示す図である。（ｂ）本発明の実施の形態１及び従来例の光ピックアップの特性を、経時変化に伴うＦＥ非対称性の変化により評価したグラフを示す図である。
【図６】本発明の実施の形態１における光ピックアップの、支持ホルダ３０の位置調整の一例を示す図である。
【図７】本発明の実施の形態１における光ピックアップの、支持ホルダ３０の位置調整の一例を示す図である。
【図８】本発明の実施の形態１における光ピックアップの光検出器１０の周辺構成の、他の一例を示す図である。
【図９】（ａ）本発明の実施の形態１における光ピックアップの光検出器１０の周辺構成の、他の一例を示す図である。（ｂ）本発明の実施の形態１における光ピックアップの光検出器１０の周辺構成の、他の一例を示す図である。（ｃ）本発明の実施の形態１における光ピックアップの光検出器１０の周辺構成の、他の一例を示す図である。
【図１０】（ａ）本発明の実施の形態２における光ピックアップの光検出器１０の周辺構成を示す図である。（ｂ）本発明の実施の形態２における光ピックアップの光検出器１０の周辺構成を示す図である。（ｃ）本発明の実施の形態２における光ピックアップの光検出器１０の周辺構成を示す図である。（ｄ）本発明の実施の形態２における光ピックアップの光検出器１０の周辺構成を示す図である。
【図１１】本発明の各実施の形態の光ピックアップの光検出器１０の周辺構成の、他の一例を示す図である。
【図１２】本発明の各実施の形態における光ピックアップの光検出器１０の周辺構成の、他の一例を示す図である。
【図１３】本発明の各実施の形態における光ピックアップの光検出器１０の周辺構成の、他の一例を示す図である。
【図１４】本発明の各実施の形態における光ピックアップの光検出器１０の周辺構成の、他の一例を示す図である。
【図１５】本発明の実施の形態３の光情報装置の概略断面図である。
【図１６】本発明の実施の形態４のコンピュータの構成を示す概略斜視図である。
【図１７】本発明の実施の形態５の光ディスクレコーダの構成を示す概略斜視図である。
【図１８】本発明の実施の形態６の光ディスクプレーヤの構成を示す概略斜視図である。
【図１９】本発明の実施の形態７の光ディスクサーバの構成を示す概略斜視図である。
【図２０】本発明の実施の形態８のカーナビゲーションシステムの構成を示す概略斜視図である。
【図２１】従来の光ピックアップの構成例を示す図である。
【図２２】従来の光ピックアップの特性を、経時変化に伴うフォーカスオフセットの値の変化により評価したグラフを示す図である。
【図２３】従来の光ピックアップにおける光検出器２１０の位置ずれの原因を説明するための図である。
【図２４】従来の光ピックアップにおける光検出器２１０の位置ずれを説明するための図である。
【発明を実施するための形態】
【００４６】
以下に本発明の形態について、図面を参照しながら説明する。
【００４７】
（実施の形態１）
図１に、本発明の実施の形態１における光ピックアップの光学系の一例を示す。本図で示すｘｙｚ軸は、以降の図においても同じ符号、向きが適用される。
【００４８】
図１において１は波長λのレーザ光を出射するレーザ光源、２はレーザ光の遠視野像の整形を行うビーム整形素子、３は光路を分割するビームスプリッタ、４はコリメートレンズ、５は光軸を折り曲げる立ち上げミラー、６は集光レンズ（光学レンズ）、７は基材厚みｔ１で、波長λの光ビームによって記録・再生をされる光ディスクである。
【００４９】
レーザ光源１は、好ましくは半導体レーザ光源とすることにより、光ピックアップ及びこれを用いた光情報装置を小型、軽量、低消費電力にすることができる。
【００５０】
光ディスク７の記録再生を行う際には、レーザ光源１から出射した波長λ１の青色光ビームがビーム整形素子２によって整形され、ビームスプリッタ３で反射し、コリメートレンズ４によって略平行光にされ、さらに立ち上げミラー５によって光軸を折り曲げられ、１／４波長板８によって円偏光になる。そして屈折型の集光レンズ６によって光ディスク７の厚さ０．１ｍｍの基材を通して情報記録面に集光される。
【００５１】
情報記録面で反射した青色光ビームは、元の光路を逆にたどって（復路）、１／４波長板８によって初期とは直角方向の直線偏光になり、コリメートレンズ４により焦点距離を伸ばされて、ビームスプリッタ３を透過・反射し、光検出器１０に入射する。光検出器１０の出力を演算することによって、焦点制御やトラッキング制御に用いるサーボ信号及び情報信号を得る。上記のようにビームスプリッタ３は、波長λの光ビームに関して、一方向の直線偏光を全反射し、それと直角方向の直線偏光を全透過する偏光分離膜を持った光路分岐素子である。これらの素子やそれを保持するホルダ類（図示せず）が光学基台２０（図示せず）上に保持されている。
【００５２】
ここで、光検出器１０は一般に微小な複数の受光領域を有している。光ディスク７からの反射光が各々の受光領域上に伝搬され検出光スポットを形成し、その検出光スポットの光量や光束に重畳された変調成分などを検出することで、前述の情報信号を得ている。すなわち、微小な受光領域上に、ずれなく検出スポットが到達することが重要である。光ピックアップを構成する素子は、高精度に光学基台上に固定されているが、誤差なく固定することは非常に困難である。加えて、レーザ光源１に用いられる半導体レーザは、一般にその筐体に対して発光点の位置誤差も有している。光検出器１０自体もその筐体に対する受光領域の位置誤差も存在する。従って、光検出器１０は、図１に示すｘ、ｙ、ｚの３軸の調整が必要となり、図示しない治具を用いて保持することにより空中に浮遊した状態で固定されなければならない。光学構成に依っては、例えばレーザ光源１を位置調整するか、検出レンズ９の位置調整で検出スポットの位置を、光検出器１０上に精度良く調整することで、光検出器１０自体の調整軸を代用することも可能であるが、光検出器１０自体を３軸調整する方が、波面収差の劣化等の光学的な悪影響が発生しないといった効果がある。
【００５３】
しかしながら、既に述べたように、光検出器１０を精度よく調整して固定しても、作成後の光ピックアップにおいては、ＢＤの使用においては無視できない位置ずれが光検出器１０に生じてしまう、というのが、本発明者が見いだした問題であった。
【００５４】
そこで、本実施の形態１の光ピックアップの要部を説明する前に、光検出器の位置ずれの原因を考察する。
【００５５】
図２１に示す従来技術のように、光学基台２３０の凸部２３１ａ及び２３１ｂが装着板２２０の両端より飛び出した形状となっている場合において、ＵＶ硬化樹脂に対するＵＶ光の照射方向によって、光検出器２１０の位置ずれ量が変化することがわかった。
【００５６】
すなわち、図２３に示すように、光学基台２３０の凸部２３１ａ及び２３１ｂのそれぞれの両側面と、装着板２２０の端面との間の４つの塗布箇所２４０、２４１、２４２、及び２４３にＵＶ硬化樹脂である接着剤を塗布し、ＵＶ光の照射機器の光ファイバを左右方向に配置してＵＶ光を照射し接着剤を硬化させると、図２４中の破線で示すように、接着剤硬化後においては、必ず光検出器２１０が下方向にずれを生じた。光ファイバ及び装着板２２０周辺の構造を子細に検討した結果、ＵＶ光を照射する光ファイバが水平位置からずれて斜め上方向から斜め下方向にＵＶ光が照射されるため、上部の接着剤が早く硬化してしまうためだと推測された。
【００５７】
この推測を実証するため、光ファイバの向きを意図的に上方に傾け、斜め下方向から斜め上方向に向かってＵＶ光が照射されるようにして接着剤を硬化させた。この結果、図２４中の実線に示すように、推測通り光検出器２１０は上方向にずれを生じた。
【００５８】
このように、従来例の構造では、ＵＶ光の照射位置が少しでも水平位置からずれると、上下いずれかの方向に光検出器の位置ずれが生じてしまうことが分かる。
【００５９】
ＵＶの照射方向によって、光検出器２１０の位置ずれ量が変わる理由は以下のように考えられる。図２１のように、光学基台２３０の凸部２３１ａ及び２３１ｂは装着板２２０の両端より外向きに飛び出した形状となっている場合は、ＵＶ光は、その照射の方向によっては光学基台２３０の凸部２３１ａ、２３１ｂにより遮蔽され、接着剤に影を落とす。接着剤の影となった部分におけるＵＶ光の積算光量は、直接ＵＶ光が照射される部分に比べて著しく小さくなり、その結果接着剤の硬化収縮ばらつきが発生する。
【００６０】
このとき、凸部２３１ａ及び凸部２３１ｂのそれぞれについて、上下で硬化収縮の程度にばらつきが発生することにより、接着剤が完全に固化するまでに装着板２２０にかかる応力に偏りが生じる。図２３に示す例では、光検出器２１０の斜め上からＵＶ光を照射した場合、塗布箇所２４１の一部は凸部２３１ａによって遮られ、ＵＶ光が照射されない影Ｂが生ずる。同様に、塗布箇所２４３の一部も凸部２３１ｂによって遮られ、ＵＶ光が照射されない影Ｂが生ずる。
【００６１】
一方、塗布箇所２４１と対になる塗布箇所２４０にはまんべんなくＵＶ光が照射され、同様に、塗布箇所２４３と対になる塗布箇所２４２にもまんべんなくＵＶ光が照射される。このように、左右の塗布箇所のそれぞれにおいて、上下で硬化反応に差が現れる。
【００６２】
その結果、光検出器２１０の位置ずれ、およびそれに伴うフォーカスオフセットの増大、ひいては再生信号特性の悪化が引き起こされているものと考えられる。
【００６３】
一方、保存耐久性における、すなわち経時変化に伴い生ずる光検出器２１０（又は光検出器１０）の位置ずれを、接着剤の塗布位置、塗布量、さらには接着剤の物性、特性を異ならせることによってばらつき無く抑えることは非常に困難である。従って、このトータルでの許容値を超えないようにするためには、初期の完成状態で位置ずれを最小限に抑える必要がある。
【００６４】
以上の考察の下、本発明者は、ＵＶ光の照射のばらつきを抑制することにより光検出器の位置ずれを低減する光ピックアップの構成を実現した。以下、説明を行う。
【００６５】
図２（ａ）に、本実施の形態１の光ピックアップの、光検出器１０の周辺の構造の斜視図を示す。光学基台２０上には一対の凸部２１ａ及び２１ｂが設けられている。凸部２１ａ及び２１ｂは、延伸方向における断面形状が矩形の角柱状部材であり、光学基台２０と一体的に形成されている。又、支持ホルダ３０は、凸部２１ａ及び２１ｂの位置及び形状に対応して設けられ、両主面を貫通するよう形成された一対の切り欠き部３１ａ及び３１ｂを有し、凸部２１ａ及び２１ｂはそれぞれ切り欠き部３１ａ及び３１ｂ内に配置されている。
【００６６】
又、支持ホルダ３０に取り付けられた光検出器１０は、支持ホルダ３０と一緒に光学基台２０に対して図中座標に示すｘ、ｙ、ｚの３方向に調整がなされ、図２（ｂ）に示すように、調整後の位置で接着剤６０ａ及び６０ｂによって、支持ホルダ３０の両端を固定されている。光学基台２０や支持ホルダ３０は、金属部材で構成すると、衝撃に対する強度が高くできるといった効果がある。また、接着剤６０ａ及び６０ｂは光硬化型の樹脂材料による接着剤であればよいが、特にＵＶ硬化型の樹脂であると、熱的安定性や対衝撃性が高い上、固定に要する時間が短くできるため生産性が向上するといった効果もある。
【００６７】
次に、図３（ａ）及び（ｂ）に、光検出器１０の周辺の各部寸法の一例を示す。特に凸部２１ａの断面形状は長辺側が１．６ｍｍ、短辺が１．２ｍｍの矩形であり、切り欠き部３１ａの表面と凸部２１ａの表面とは、任意の場所において一意な距離０．５ｍｍを保つような配置となっている。なお、図においては断面の角は丸みを有しているが、矩形として２組の平行面を有する形状であれば、角の加工形状（直線状であるか曲線状であるか）によって限定されることはない。
【００６８】
次に、図４（ａ）〜（ｄ）に支持ホルダ３０と凸部２１ａ及び２１ｂ、接着剤６０ａ及び６０ｂであるＵＶ硬化型樹脂の配置関係をあらわす光検出器周辺のｘｙ平面図を示す。
【００６９】
図４（ａ）は、本実施の形態１の光ピックアップの支持ホルダ３０及び光学基台２０の凸部２１ａ及び２１ｂの、調整直前の寸法関係の一例を示す。２つの凸部２１ａ及び２１ｂの側面のうち、支持ホルダ３０の切り欠き部３１ａ及び３１ｂの表面と対向しない側面２１ａ１及び２１ｂ１間の距離をＷ、支持ホルダ３０の幅をＸ、凸部２１ａ及び２１ｂと支持ホルダ３０の切り欠き部３１ａ及び３１ｂの間の隙間のうち、ｘ方向成分の光ピックアップの外側から見て図中右側の凸部２１ｂと切り欠き部３１ｂとの隙間の間隔をｄｘ１、図中左側の凸部２１ａと切り欠き部３１ａとの隙間の間隔をｄｘ２と呼ぶ。なお、調整前の間隔ｄｘ１およびｄｘ２は、光検出器１０をｘ方向に調整が必要な最大の調整量ｄｘ以上の値である必要がある。
【００７０】
ここで、距離Ｗと幅Ｘの間に次式（Ａ）の関係があることが望ましい。
【００７１】
（数４）
Ｗ≦Ｘ  ・・・（Ａ）
すなわち、凸部２１ａ及び２１ｂの互いに対向しない側面２１ａ１及び２１ｂ１間の距離Ｗが、支持ホルダ３０の左右端方向の幅Ｘ以下となる関係である。
【００７２】
このような構成とすることで、以下の効果が得られる。治具により外部から保持し、支持ホルダ３０ごと空中に浮遊させた光検出器１０を精度よく調整した後は、図４（ｂ）〜（ｄ）に示すように、支持ホルダ３０の両端と、光学基台２０の凸部２１ａ及び２１ｂとをそれぞれブリッジするように接着剤６０ａ、６０ｂを塗布する。
【００７３】
そして、当該接着剤６０ａ、６０ｂを硬化させるためのＵＶ光を左右同時に照射する場合、ＵＶ光の照射方向角度が、理想的な水平位置から多少ずれていたとしても、凸部２１ａ及び２１ｂの側面の突出の程度は小さいため、ＵＶ光は凸部２１ａ及び２１ｂによって遮られることなく、接着剤６０ａ、６０ｂの全領域に照射される。
【００７４】
ここで、図５（ａ）に、本実施の形態１による光ピックアップの特性を、経時変化に伴うフォーカスオフセットの値の変化により評価したグラフを、又、図５（ｂ）に、同特性を、経時変化に伴うＦＥ信号の非対称性により評価したグラフを、それぞれ従来例の場合と共に示す。なお、ＦＥ信号の非対称性とは、ＧＮＤレベルに対してＦＥ信号の上振幅をＡａ、下振幅をＡｂとしたときに（Ａａ−Ａｂ）／２（Ａａ＋Ａｂ）で表される指標である。
【００７５】
図５（ａ）に示すように、完成直前、すなわち調整完了後、接着剤硬化前においては、従来例、本実施の形態の双方とも、理想的なオフセット状態が維持されているが、硬化直後において、従来例においてフォーカスオフセットが約０．１２μｍ発生しているのに対し、本実施の形態におけるフォーカスオフセットは約０．０２μｍに抑えられている。
【００７６】
さらに、図２２の場合と同じ温度条件、湿度条件下で長期保存して経過実験を行ったところ、本実施の形態の場合、フォーカスオフセットの増加は、約０．１４μｍまで抑えられ、これはＢＤの許容値０．２μｍを下回る。
【００７７】
次に、図５（ｂ）に示すように、ＦＥ信号の非対称性についても、硬化後において従来例が約１３．５％と劣化しているのに対し、本実施の形態では約０．２％に抑えられ、長期保存後においては、１６．０％に抑えられている。一方、従来例においては長期保存後のＦＥ信号の非対称性は２５％超まで増大している。
【００７８】
このように、本実施の形態の光ピックアップによれば、接着剤の硬化時においてＵＶ光の照射ムラが発生しないように凸部２１ａ及び２１ｂ及び支持ホルダ３０を構成したことにより、接着剤６０ａ及び６０ｂが硬化収縮したとしても、光検出器１０の固定時のずれの発生を許容範囲以下まで低減して、良好な信号特性を得ることができるという効果がある。又、この際に、接着剤の塗布位置が、光検出器１０に対して左右対称であれば、より好ましい。
【００７９】
ここで、以上のような本実施の形態による光検出器１０の位置ずれの解消策の特に優れた点を、従来例との比較によって更に説明する。
【００８０】
図２１に示す従来例においては、装着板２２０の左右両端に対して、凸部２３１ａ及び２３１ｂがより外側へ飛び出した形状を有することから、接着剤に照射されるＵＶ光の一部が遮られることとなり、接着剤の硬化収縮のばらつきの原因となっていたことは、上述の通りである。
【００８１】
特に、装着板２２０の両端のそれぞれに、凸部２３１ａ及び２３１ｂが飛び出していることから、接着剤は、図２３に示すように、左右の両端において塗布箇所２４０、２４１、及び塗布箇所２４２、２４３に上下分割され、合計４箇所となっている。
【００８２】
したがって、従来例の構成において、光検出器２１０の位置ずれを抑えるためには、これら複数の塗布箇所２４０〜２４３の全てに対し、ＵＶ光をむらなくかつ同時に照射しないと必ず光検出器２１０の位置ずれが発生してしまう。
【００８３】
唯一、装着板２２０の両端方向と完全に水平方向から左右同時に照射を行う場合に限り、塗布箇所２４０〜２４３に対する同時照射が可能となり、このとき同時照射の対象は最低２箇所で済む。しかし、この場合は水平方向を常に維持するための、アライメントに細心の注意が必要となる。すなわち、図２３を参照した考察で述べたように、水平方向から少しでも照射角度がずれると照射領域にむらが生じ、左右の塗布箇所のそれぞれにおいて、上下で硬化反応に差が出ることで硬化時の光検出器は必ず位置ずれを発生してしまう。
【００８４】
したがって、この対策では、光ピックアップを大量生産する場合などに、光ファイバと装着板とのアライメントに要する手間のため、生産性を著しく低下させるという問題が新たに生じてしまう。
【００８５】
一方で、アライメントの調整を考慮することなく４箇所同時照射を実施するためには、４台のＵＶ光照射装置を用いるか、１台もしくは複数台のＵＶ光照射装置から、４本分岐させた光ファイバからＵＶ光をそれぞれ照射させる必要があることとなり、いずれの場合も装置が大型化するという問題が新たに生じてしまう。
【００８６】
このように、従来例の構成を用いる限り、光検出器の位置ずれの解消には、実施の困難性、又は実施に伴う新たな問題が生ずるという不具合があるのに対し、本実施の形態は、凸部２１ａ及び２１ｂの形状の変更、凸部２１ａ及び２１ｂと支持ホルダ３０との位置関係の変更という、より簡易な構成で、新たな問題を引き起こすことなく、確実に光検出器の位置ずれを抑制することができるという、顕著な効果を有する。
【００８７】
更に、本実施の形態の光ピックアップの構成を最適化するための各部の条件について具体的に説明する。
【００８８】
図４（ａ）を参照して述べたように、調整前の間隔ｄｘ１及び間隔ｄｘ２は、光検出器１０をｘ方向に調整可能な最大の調整量ｄｘ以上の値で決定されるが、支持ホルダ３０の機械的強度を保つためには、調整量ｄｘの値は小さいほど望ましい。
【００８９】
さらに、調整量ｄｘ、距離Ｗ及び幅Ｘの間に次式（Ｂ）の関係があることが望ましい。
（数１）
Ｘ−Ｗ≧２ｄｘ・・・（Ｂ）
このような構成とすることで、光検出器１０の調整時において、支持ホルダ３０を、右（左）に最大限の調整量ｄｘまで動かしたとしても、支持ホルダ３０の左側の端面３０ａ（右側の端面３０ｂ）より、凸部２１ａの支持ホルダ３０と対向しない側面２１ａ１が外側に突出することがない。この関係は式で表すと（Ｘ／２）−ｄｘ≧（Ｗ／２）であり、変形すると式（Ｂ）に一致する。
【００９０】
従って、前述の接着剤６０ａ及び６０ｂ塗布後のＵＶ照射時において、照射ムラが発生しないことによる光検出器１０の固定時のずれが生じることがなくなるという効果がより確実に得られるものである。
【００９１】
またこのとき、調整前の間隔ｄｘ１かｄｘ２のいずれか小さい方の値を調整量ｄｘと一致させておく。調整前の間隔を調整値ｄｘまで小さくしておくことにより、支持ホルダ３０はｘ方向の調整量ｄｘの最大値の時に凸部２１ａ（又は２１ｂ）と接触することになり、凸部２１ｂ（又は２１ａ）は調整量ｄｘを超えて支持ホルダ３０が移動しないためのストッパーとして働く。このような構成とすることで、より高精度、高速な調整が可能となり、生産性が向上するといった効果がある。
【００９２】
ここで図６に、式（Ａ）に応じてＸ＞Ｗの条件で支持ホルダ３０及び凸部２１ａ及び２１ｂを作成し、更に調整前の凸部２１ｂと切り欠き部３１ｂとの隙間の間隔がｄｘ１、凸部２１ａと切り欠き部３１ａとの隙間の間隔をｄｘ２（ｄｘ２＞ｄｘ１）とした場合において、間隔ｄｘ１に対し、最大の調整量ｄｘ＝ｄｘ１で支持ホルダ３０を−ｘ方向に移動する調整を行った後の光ピックアップ状態を示す。
【００９３】
図６に示すように、支持ホルダ３０の切り欠き部３１ｂは凸部２１ｂと接触し、これ以上−ｘ方向に移動することはない。又、支持ホルダ３０の、切り欠き部３１ａが設けられた側の端面３０ａと、凸部２１ａの側面２１ａ１は同一面上に配置されており、従来例のように凸部２１ａが突出した構成になることが妨げられている。
【００９４】
次に、図４（ａ）と同様、式（Ａ）に応じてＸ＝Ｗの条件で支持ホルダ３０及び凸部２１ａ及び２１ｂを作成し、更に調整前の凸部２１ｂと切り欠き部３１ｂとの隙間の間隔がｄｘ１、凸部２１ａと切り欠き部３１ａとの隙間の間隔をｄｘ２（ｄｘ２＞ｄｘ１）とした場合において、間隔ｄｘ１に対し、最大の調整量ｄｘ＝ｄｘ１で支持ホルダ３０を−ｘ方向に移動する調整を行った後の光ピックアップ状態を図７に示す。この場合は、支持ホルダ３０の端面３０ａに対し、凸部２１ａの、切り欠き部３１ａの表面と対向しない側の側面２１ａ１はｄｘ１だけ外側に突出することになる。一方で、支持ホルダ３０の右端面においては、凸部２１ｂは切り欠き部３１ｂの内側に調整量ｄｘに対応する隙間の間隔ｄｘ１だけ後退して配置されることになる。
【００９５】
しかしながら、凸部２１ａ（又は２１ｂ）の側面と支持ホルダ３０の左右いずれかの端面との間にずれが生じているときでも、そのずれの大きさが調整量ｄｘにあるときは、誤差として扱うことができ、本発明の効果を損ねることはない。調整量ｄｘの取り得る最大値は、図３に示す各部の寸法に照らした場合、約２００〜３００μｍとなるが、この構成の場合において、このｄｘの値に応じて接着剤６０ａ及び６０ｂの硬化の際に発生する光検出器１０の位置ずれは１μｍ程度であり、その時のフォーカスオフセット変化は約０．０１μｍ程度にすぎないからである。これに保存耐久性を考慮しても、良好な再生信号を得ることができる閾値０．２μｍ以下に十分抑えることが可能である。図７の場合、凸部２１ａの側面２１ａ１の、支持ホルダ３０の側面３０ａからの突出の程度はｄｘ１＝ｄｘであるから、この要請を満たしている。又、凸部２１ｂの、支持ホルダ３０の右側面より内側に入り込む程度もｄｘ１＝ｄｘであるから、この要請は満たされる。
【００９６】
なお、図６に示す構成例においても、支持ホルダ３０の右端面において凸部２１ｂは調整前の間隔からより内側に入り込んで配置されることになるが、ｄｘ１＝ｄｘの関係を維持しているため、上記の要請は満たされている。なお、以上の説明においては、凸部２１ａの側面２１ａ１の配置は、光検出器１０に近い側を内側、光検出器１０から遠い側を外側と定義した。
【００９７】
また、以上の説明においては、調整前の凸部２１ｂと切り欠き部３１ｂとの隙間の間隔がｄｘ１、凸部２１ａと切り欠き部３１ａとの隙間の間隔をｄｘ２（ｄｘ２＞ｄｘ１）であるとしたが、一般には、二つの間隔のうち、いずれが  より大きいかは任意である。したがって、一方の間隔を支持ホルダ３０の一方の端面側における調整前の間隔をｄｘａ、支持ホルダ３０の他方の端面側における前記調整前の間隔をｄｘｂ、としたとき、
（数２）
ｄｘａ≦ｄｘｂ・・・（Ｃ）
（数３）
Ｘ−Ｗ≧２ｄｘａ・・・（Ｄ）
が成立すればよいことになる。なお、図４（ｂ）に示す例は、幅Ｘ＝距離Ｗ、調整量ｄｘ＝０、間隔ｄｘ１＝ｄｘ２で調整が完了した構成であり、上記（Ａ）〜（Ｄ）の条件を全て満たす。
【００９８】
次に、接着剤６０ａ及び６０ｂの塗布箇所について、図４（ｂ）〜（ｄ）を参照して説明する。
【００９９】
接着剤６０ａ及び６０ｂの塗布位置は、図４（ｂ）のように、凸部２１ａ及び２１ｂと支持ホルダ３０の切り欠き部３１ａ及び３１ｂとの隙間に流れ込まないようにした構成の場合、ＵＶ光の照射による硬化収縮のバランスずれを最も起こしにくく、固定時の光検出器１０の位置ずれが発生しにくいという効果がある。
【０１００】
又、図４（ｃ）のように、隙間に少量流れ込みが発生する構成の場合は、硬化収縮のバランスずれを最小限に抑えつつも、凸部２１ａ及び２１ｂと支持ホルダ３０との接着面積が増えることで支持ホルダ３０の保持強度を高められるといった効果がある。
【０１０１】
また、図４（ｄ）のように、隙間を埋めるように接着剤６０ａ及び６０ｂを流し込む構成の場合は、支持ホルダ３０の保持強度は高く、かつ隙間の間隔ｄｘ１やｄｘ２を小さくすることで、硬化収縮バランスずれを最小限に抑えるといった構成も可能である。なお、隙間に接着剤６０ａ及び６０ｂを流し込む図４（ｃ）や（ｄ）の構成の場合は、接着剤６０ａ及び６０ｂとして、空気と触れないことで効果反応を開始する嫌気性を有するものを使用した場合において、ＵＶ光が届かない部分も確実に硬化させることができ、支持ホルダ３０の保持強度を更に高めることができるといった効果がある。
【０１０２】
なお、図６に示す構成例においては支持ホルダ３０の両端から凸部２１ａ又は２１ｂの一方が突出する場合があるが、図７又は図４（ａ）〜（ｄ）の各図に示すように、凸部は２１ａ及び２１ｂは支持ホルダ３０の両端と同一又はより内側にあるほうが望ましい。これは、特に図４（ｂ）に示すように、凸部が内側よりのほうが、接着剤６０ａ及び６０ｂが凸部２１ａ及び２１ｂの上下においてブリッジ、すなわち一体化しやすくなるからである。凸部が支持ホルダ３０から突出する場合は、上述のようにＵＶ光の遮蔽の影響は誤差の範囲に収まったとしても、接着剤がブリッジしない場合は硬化ムラが生ずる恐れがある。
【０１０３】
また、本実施の形態１のように、支持ホルダ３０の左右両端面位置に接着剤６０ａ及び６０ｂをそれぞれ塗布するような構成の場合、支持ホルダ３０の保持に大きく寄与するのは左右両端位置に塗布された部分であり、支持ホルダ３０の切り欠き部３１ａ及び３１ｂと凸部２１ａ及び２１ｂとの隙間に流れ込んだ部分の寄与は大きくない。
【０１０４】
従って、例えば図８に示す構成のように、光検出器１０の出力信号を伝達する回路基板１１が、支持ホルダ３０上にあって凸部２１ａ及び２１ｂを覆うような位置に配置されていても、支持ホルダ３０を強固に固定することが可能になる。
【０１０５】
ここで図９（ａ）〜（ｃ）に光検出器周辺のｘｚ平面図を示す。図９において、ｄｚは光検出器１０の受光領域が設計通りの配置にあるときの支持ホルダ３０と光学基台２０の隙間間隔、Ｔは支持ホルダ３０のｚ方向の厚み、Ｈは凸部２１のｚ方向の高さを示す。ここで、間隔ｄｚと厚みＴと高さＨの間に次式（Ｅ）の関係があることが望ましい。
（数５）
Ｈ≦ｄｚ＋Ｔ・・・（Ｅ）
このような構成とすることで、凸部２１ａ及び２１ｂはｚ方向に対して支持ホルダ３０の表面より突出することがなくなる。このため、支持ホルダ３０の光検出器１０側の面内に自由に部品を配置できるようになり、例えば図９（ｃ）に示すように、回路基板１１として、十分の厚みを持ったものを用いることが出来るといった効果がある。
【０１０６】
また、接着剤６０は主にＵＶ硬化型の樹脂であるとしたが、特に未硬化時の粘性が高いものほど好ましい。特にその粘度が２００００ｍＰａ・ｓ以上であると良い。このような接着剤を使用することで、光検出器１０の位置調整後に支持ホルダ３０と凸部２１ａ及び２１ｂに接着剤６０ａ及び６０ｂを塗布しても、それが重力で流れ落ちることを回避できることはもちろん、接着剤６０ａ及び６０ｂの、支持ホルダ３０の切り欠き部３１ａ及び３１ｂと凸部２１ａ及び２１ｂとの隙間への流れ込みを防止することが出来、ＵＶ光の照射によって未硬化となる部分を最小限にすることが出来る。従って、固定後の位置ずれに対する信頼性が向上するといった効果がある。
【０１０７】
また、本実施の形態１の構成の場合、支持ホルダ３０は空中に浮遊した状態で、接着剤６０ａ及び６０ｂを介してのみ光学基台２０に対して保持されている。そのため、接着剤６０ａ及び６０ｂの硬化後の強度が低いと、物理的な外力により光検出器１０が支持ホルダ３０ごと位置ずれを起こしてしまうという不具合がある。このような不具合に対処すべく、接着剤６０ａ及び６０ｂは硬化後の硬度（ショアＤ）が６０以上９０以下であることが望ましい。硬度が６０以下であると、例えば光検出器１０の出力信号を伝達するフレキシブルプリント基板等の張力等といった弱い外力であっても、その外力が加わり続けることで、光検出器１０は支持ホルダ３０ごと徐々に位置ずれを起こしてしまう。また、硬度が９０以上と高すぎる場合、３００Ｇ〜５００Ｇ程度の瞬時の衝撃が光ピックアップ全体にかかった場合、支持ホルダ３０と光検出器１０自身の重量によって発生する負荷に接着剤が耐えられず、硬化後の接着剤が割れ等の欠陥を引き起こしてしまう。硬度が６０以上９０以下であれば、いずれの不具合も起きず安定に光検出器１０と支持ホルダ３０を保持できる。
【０１０８】
以上のように、本実施の形態１の光ピックアップによれば、小型の支持ホルダ３０を用いて、ＵＶ光照射による硬化時の接着剤６０ａ及び６０ｂの硬化収縮による光検出器１０の位置ずれを小さくすることができる。
【０１０９】
したがって、光検出器の調整・固定装置を安価に小型化できるといった効果が得られる。また、光ピックアップを大量生産する場合などに、光検出器の調整・固定装置のメンテナンスも容易であり、生産性が向上するといった効果も得られる。
【０１１０】
（実施の形態２）
図１０（ａ）に本実施の形態２における光ピックアップの、光検出器１０周辺の構造の斜視図を示す。本図に示す以外の構成はすべて実施の形態１と同じであり、その機能や効果も全て実施の形態１で示したものと同様である。
【０１１１】
図１０（ａ）に示すように、本実施の形態２の光ピックアップは、支持ホルダ３０の切り込み部３２ａは、ｚ方向の厚み全て、すなわち両主面を貫通しておらず、支持ホルダ３０の一方の表面及び側面に渡って形成された窪みになっていることを特徴とする。同図には直接示されていないが、もう一方の切り込み部３２ｂも同様の構成を有する。したがって、図１０（ｃ）に示すようにｘｙ平面から見たとき凸部２１ａ及び２１ｂは支持ホルダ３０の表面に隠れて外部に露出されない状態にある。なお、図中において切り込み部３２ａ、３２ｂの輪郭を破線にて示した。
【０１１２】
上記の特徴を備えたことにより、本実施の形態２は以下の効果を有する。実施の形態１の支持ホルダ３０の切り欠き部３１ａ及び３１ｂのように、切り欠き部が支持ホルダ３０のｚ方向の厚み全てを貫通している場合は、支持ホルダ３０の機械的強度が高くできないため、高いＧ（加速度）の衝撃が加わった場合などに、支持ホルダ３０自身の変形がおきるといった可能性がある。
【０１１３】
これに対し、本実施の形態２の構成とすれば、支持ホルダ３０のサイズを大きくすることなく機械的強度が高められる上、実施の形態１で述べた構成を全て採用可能であり、支持ホルダ３０を空中に浮遊させた状態で接着剤６０ａ及び６０ｂを介して光学基台２０に安定に固定することが可能になると  いった効果がある。
【０１１４】
なお、以上の実施の形態１、２において、光検出器１０は本発明の光学部  品に相当し、支持ホルダ３０は本発明の支持ホルダに相当し、光学基台２０は本発明の光学基台に相当し、切り欠き部３１ａ及び３１ｂ、並びに切り込み部３２ａ及び３２ｂは本発明の凹部に相当する。
【０１１５】
なお、以上の実施の形態１、２においては、特に光検出器１０を支持する支持ホルダ３０についての固定方法について述べたものであるが、高精度な調整、固定が必要とされる光ピックアップの各種部品において、空中に浮遊した状態で接着剤による固定が必要なものであれば、レンズやプリズム、回折格子のような受動的素子、又はレーザダイオードやフォトダイオードのような能動的素子、その他いかなる光学部品の固定に対しても、本発明の構造を使用すれば、同様の効果が全て得られるものである。
【０１１６】
特に、光透過性の低い材質で構成される部品を使用する場合や、光学部品を光透過性の低い金属や樹脂製のホルダに取り付け、そのホルダを空中に浮遊させた状態で接着固定する場合に、本発明の構造は、顕著な効果を発揮することができる。
【０１１７】
また、光ピックアップの光学構成については、図１に示した系は一例であって、どのような光学系であったとしても、調整等のために空中に浮遊させた状態で図示しない治具により保持した光学部品を固定する構造として本発明の構造を使用すれば、同様の効果が全て得られるものでもある。
【０１１８】
又、以上の実施の形態１、２においては、光学基台２０の凸部２１ａ及び２１ｂは、延伸方向における断面形状が矩形であるとしたが、他の形状であってよい。一例として、図１１に示すように、断面形状が五角形である凸部２２ａ及び２２ｂを用いた構成を示す。
【０１１９】
凸部２２ａの断面形状は、実施の形態１，２で説明した、切り欠き部３１ａと対向しない側の側面に一対の対向する斜面により形成された突起部２３ａを有する。突起部２３ａ及び２３ｂはｘ軸及びｙ軸に対して傾斜しているため、ＵＶ光の照射角度が理想的な水平位置から斜め上、又は斜め下にずれていた場合であっても、断面矩形の場合に比して、ＵＶ光を遮蔽する死角は少なくなっており、接着剤にむらなくＵＶ光を照射させることが可能である。
【０１２０】
このとき、突起部２３ａ及び２３ｂのそれぞれにおいて、斜面の根元同士が結ぶ点を繋ぐ仮想線２２ａ１と２２ｂ１との間の距離が、実施の形態１の距離Ｗに相当することが望ましい。すなわち、突起部２３ａ及び２３ｂは実施の形態１の凸部２１ａ及び２１ｂの側面２１ａ１及び２１ｂ１にさらに付加される構成となる。この場合、凸部２２ａ及び２２ｂは調整量ｄｘより大きな横幅をとることができ、物理的強度を増すことが可能となる。
【０１２１】
なお、突起部２３ａ及び２３ｂは一対の対向する斜面により形成されるものとしたが、図１２に示すように、正に湾曲した曲面部２５ａ及び２５ｂを有する凸部２４ａ及び２４ｂとして構成しても、同様の効果が得られる。この場合、曲面部２５ａ及び２５ｂの根元同士が結ぶ面を繋ぐ仮想面２４ａ１と２４ｂ１との間の距離が、実施の形態１の距離Ｗに相当することになる。
【０１２２】
又、以上の説明においては、凸部２１ａ及び２１ｂは断面矩形等であるとしたが、図１３に示すように、その表面に延伸方向に沿って設けられた溝２７ａ及び２７ｂをそれぞれ備えた凸部２６ａ及び２６ｂとして実現してもよい。この場合、塗布した接着剤６０ａ及び６０ｂが溝２７ａ及び２７ｂに沿って流れ込むため、接着剤が凸部２６ａ及び２６ｂと支持ホルダ３０の切り欠き部３１ａ及び３１ｂとの間の隙間に流れ込むのを防ぎ、図４（ｂ）に示す構成をより実現しやすくなる効果がある。
【０１２３】
同様に接着剤が隙間に流れ込むのを防ぐ構成例を図１４に示す。図１４に示すように、支持ホルダ３０の切り欠き部３３ａ及び３３ｂは、その上下に土手３３ａ１及び３３ｂ１を有し、一方、光学基台２０の凸部２８ａ及び２８ｂも、それぞれ上下面に土手２８ａ１及び２８ｂ１を備える。隙間においては、土手３３ａ１と２８ａ１が対向する部分、及び土手３３ｂ１と２８ｂ１が対向する部分の間隔が他の部分より小さくなっているため、接着剤が隙間の奥側に流れ込むのを防ぐことができる。なお、支持ホルダ３０側の土手３３ａ１及び３３ｂ１は省略してもよい。
【０１２４】
又、以上の説明においては、凸部２１ａ及び２１ｂは光学基台２０と一体に形成された金属性の部材であるとしたが、樹脂材料を用いた別部材として構成してもよい。この場合、樹脂材料として透明なものを用いると、凸部によるＵＶ光の遮蔽の影響をより低減することが可能となる。この効果は、支持  ホルダ３０の切り欠き部３１ａ及び３１ｂの表面を鏡面等の反射加工を施すことにより、更に補強することができる。
【０１２５】
又、以上の説明においては、凸部２１ａ及び２１ｂは、左右両端にそれぞれ一つずつ設けられた支持ホルダ３０の切り欠き部３１ａ及び３１ｂに対応して一対設けられたものとしたが、切り欠き部を左右両端に２つ以上設け、これに対応した個数の凸部を備えた構成としてもよい。
【０１２６】
（実施の形態３）
さらに、本発明の光ピックアップを用いた光情報装置の実施例を、図１５に示す。図１５において光情報記録再生装置としての光ディスクドライブ１０７の全体の構成例を示す。光ディスク１０１はターンテーブル１０２とクランパー１０３で挟んで固定され、本発明のモータとしてのモータ（回転系）１０４によって回転させられる。実施の形態１から実施の形態２のいずれかに記載した光ピックアップ１００はトラバース（移送系）１０５上に乗っており、照射する光が光ディスク１０１の内周から外周まで移動できるようにしている。
【０１２７】
本発明の電気回路としての制御回路１０６は光ピックアップ１００から受けた信号をもとにフォーカス制御、トラッキング制御、トラバース制御、モータの回転制御等を行う。また再生信号から情報の再生や、記録信号の光ピックアップ１００への送出を行う。
【０１２８】
（実施の形態４）
実施の形態３に記した光ディスクドライブ（光情報記録再生装置）を具備した、コンピュータの実施の形態を図１６に示す。
【０１２９】
図１６において、パソコン（コンピュータ）１１０は実施の形態３の光ディスクドライブ１０７と、情報の入力を行うための本発明の入力装置としてのキーボード１１３と、情報の表示を行うための出力装置としてのモニター１１２とを備える。
【０１３０】
上述の実施の形態３の光ディスクドライブを外部記憶装置として具備したコンピュータは、異なる種類の光ディスクに情報を安定に記録あるいは再生でき、再生した情報に基づいて演算処理を行い、広い用途に使用できるという効果を有するものとなる。なお、パソコン１１０に内蔵される、図示されない演算処理のための演算装置（ＣＰＵ）は本発明の演算装置に相当する。
【０１３１】
光ディスクドライブ１０７はその大容量性を生かして、コンピュータ内のハードディスクのバックアップをとったり、メディア（光ディスク）が安価で携帯が容易であること、他の光ディスクドライブでも情報が読み出せるという互換性があることを生かして、プログラムやデータを人と交換したり、自分用に持ち歩いたりすることができる。また、ＤＶＤやＣＤ等の既存のメディアの再生／記録にも対応できる。なお、キーボード１１３及びモニター１１２との接続が解除された場合は、パソコン１１０本体側に、キーボード１１３と接続するための入力端子、及びモニター１１２と接続するための出力端子が、本発明の入力端子及び出力端子としてそれぞれ設けられていることになる。
【０１３２】
（実施の形態５）
実施の形態３に記した光ディスクドライブ（光情報記録再生装置）を具備した、光ディスクレコーダ（映像記録再生装置）の実施の形態を図１７に示す。
【０１３３】
図１７において、光ディスクレコーダ１２０は実施の形態３の光ディスクドライブ１０７（図示せず）、光ディスクドライブ１０７内の光ディスクに記録させるために、画像情報を情報に変換する、本発明のエンコーダとしてのエンコーダ（図示せず）及び光ディスク内の情報を画像情報に変換する、本発明のデコーダとしてのデコーダ（図示せず）を内蔵しており、記録している映像の表示を行うためのモニター１２１と接続されて使用される。
【０１３４】
上述の実施の形態３の光ディスクドライブ１０７を具備した、光ディスクレコーダ１２０は、異なる種類の光ディスクに映像を安定に記録あるいは再生でき、広い用途に使用できるという効果を有するものとなる。光ディスクレコーダはメディア（光ディスク）に映像を記録し、好きな時にそれを再生することができる。光ディスクではテープのように記録後や再生後に巻き戻しの作業が必要なく、ある番組を記録しながらその番組の先頭部分を再生する追っかけ再生や、ある番組を記録しながら以前に記録した番組を再生する同時記録再生が可能となる。メディアが安価で携帯が容易であること、他の光ディスクレコーダでも情報が読み出せるという互換性があることを生かして、記録した映像を人と交換したり、自分用に持ち歩いたりすることができる。またＤＶＤやＣＤ等の既存のメディアの再生／記録にも対応する。
【０１３５】
なお、ここでは光ディスクドライブだけを備える場合について述べたが、ハードディスクを内蔵していても良いし、ビデオテープの録画再生機能を内蔵していても良い。その場合映像の一時退避や、バックアップが容易にできる。
【０１３６】
（実施の形態６）
実施の形態３に記した光ディスクドライブ（光情報記録再生装置）を具備した、光ディスクプレーヤ（映像再生装置）の実施の形態を図１８に示す。
【０１３７】
図１８において、液晶モニター１３０を備えた光ディスクプレーヤ１３１は実施の形態３の光ディスクドライブ１０７（図示せず）及び光ディスク内の情報を画像情報に変換する、本発明のデコーダとしてのデコーダ（図示せず）を内蔵しており、光ディスクに記録された映像を液晶モニター１３０に表示することができる。上述の実施の形態３の光ディスクドライブ１０７を具備した、光ディスクプレーヤは、異なる種類の光ディスクの映像を安定に再生でき、広い用途に使用できるという効果を有するものとなる。
【０１３８】
光ディスクプレーヤはメディア（光ディスク）に記録された映像を、好きな時に再生することができる。光ディスクではテープのように再生後に巻き戻しの作業が必要なく、ある映像の任意の場所にアクセスして再生することができる。またＤＶＤやＣＤ等の既存のメディアの再生にも対応する。
【０１３９】
（実施の形態７）
実施の形態３に記した光ディスクドライブ（光情報記録再生装置）を具備した、光ディスクサーバの実施の形態を図１９に示す。
【０１４０】
図１９において、光ディスクサーバ１４０は実施の形態３の光ディスクドライブ１０７と、情報の表示を行うためのモニター１４２と、情報の入力を行うためのキーボード１４３とを備え、本発明の入出力端子としてのインタフェース（図示せず）を介してネットワーク１４４と接続されている。
【０１４１】
上述の実施の形態３の光ディスクドライブ１０７を外部記憶装置として具備した、光ディスクサーバ１４０は、異なる種類の光ディスクに情報を安定に記録あるいは再生でき、広い用途に使用できるという効果を有するものとなる。光ディスクドライブはその大容量性を生かして、ネットワーク１４４からの要求に応じ、光ディスクに記録されている情報（画像、音声、映像、ＨＴＭＬ文書、テキスト文書等）を送出する。また、ネットワークから送られてくる情報をその要求された場所に記録する。また、ＤＶＤやＣＤ等の既存のメディアに記録された情報も再生が可能であるので、それらの情報を送出することも可能となる。
【０１４２】
（実施の形態８）
実施の形態３に記した光ディスクドライブ（光情報記録再生装置）を具備した、カーナビゲーションシステムの実施の形態を図２０に示す。
【０１４３】
図２０において、カーナビゲーションシステム１５０は実施の形態３の光ディスクドライブ１０７（図示せず）及び光ディスク内の情報を画像情報に変換する、本発明のデコーダとしてのデコーダ（図示せず）を内蔵しており、地形や行き先情報の表示を行うための液晶モニター１５１と接続されて使用される。
【０１４４】
上述の実施の形態３の光ディスクドライブ１０７を具備した、カーナビゲーションシステムは、異なる種類の光ディスクに映像を安定に記録あるいは再生でき、広い用途に使用できるという効果を有するものとなる。カーナビゲーションシステム１５０はメディア（光ディスク）に記録された地図情報と、地上位置確定システム（ＧＰＳ）や、ジャイロスコープ、速度計、走行距離計等の情報を元に、現在位置を割り出しその位置を、液晶モニター上に表示する。また行き先を入力すると、地図情報や道路情報をもとに行き先までの最適な経路を割り出し、それを液晶モニターに表示する。
【０１４５】
地図情報を記録するために大容量の光ディスクを用いることで、一枚のディスクで広い地域をカバーして細かい道路情報を提供することができる。また、その道路近辺に付随する、レストランやコンビニエンスストア、ガソリンスタンドなどの情報も同時に光ディスクに格納して提供することができる。さらに、道路情報は時間がたつと古くなり、現実と合わなくなるが、光ディスクは互換性がありメディアが安価であるため、新しい道路情報を収めたディスクと交換することで最新の情報を得ることができる。またＤＶＤやＣＤ等の既存のメディアの再生／記録にも対応するため、自動車の中で映画を見たり音楽を聴いたりすることも可能である。
【産業上の利用可能性】
【０１４６】
本発明は、レーザを用いて記録および／または再生が行われる光ディスクに対して、良好な信号特性を得ることが出来るという効果があり、光ディスクを利用するコンピュータからＡＶ機器まで、幅広い産業分野で利用することができ、その産業上の利用可能性は非常に広く且つ大きい。
【符号の説明】
【０１４７】
１    レーザ光源
２    ビーム整形素子
３    ビームスプリッタ
４    コリメートレンズ
５    立上げミラー
６    集光レンズ
７    光ディスク
８    １／４波長板
９    検出レンズ
１０    光検出器
１１    回路基板
２０    光学基台
２１ａ、２１ｂ    凸部
３０    支持ホルダ
３１ａ、３１ｂ  切り欠き部
６０ａ、６０ｂ    接着剤
１００    光ピックアップ
１０１    光ディスク
１０２    ターンテーブル
１０３    クランパー
１０４    モータ
１０５    トラバース
１０６    制御回路
１０７    光ディスクドライブ
１１０    パソコン
１１１    光ディスクドライブ
１２０    光ディスクレコーダ
１３１    光ディスクプレーヤ
１４０    光ディスクサーバ
１４１    光ディスクドライブ
１４４    ネットワーク
１５０    カーナビゲーションシステム
【図１】
0005448823.tif 000002
【図２】
0005448823.tif 000003
【図３】
0005448823.tif 000004
【図４】
0005448823.tif 000005
【図５】
0005448823.tif 000006
【図６】
0005448823.tif 000007
【図７】
0005448823.tif 000008
【図８】
0005448823.tif 000009
【図９】
0005448823.tif 000010
【図１０】
0005448823.tif 000011
【図１１】
0005448823.tif 000012
【図１２】
0005448823.tif 000013
【図１３】
0005448823.tif 000014
【図１４】
0005448823.tif 000015
【図１５】
0005448823.tif 000016
【図１６】
0005448823.tif 000017
【図１７】
0005448823.tif 000018
【図１８】
0005448823.tif 000019
【図１９】
0005448823.tif 000020
【図２０】
0005448823.tif 000021
【図２１】
0005448823.tif 000022
【図２２】
0005448823.tif 000023
【図２３】
0005448823.tif 000024
【図２４】
0005448823.tif 000025